(57)【要約】      （修正有）【課題】熱をより多く吸収して蓄熱効率の良い電気ヒーター蓄熱構造を提供する。【解決手段】本体２０の壁面に送風装置３０を架設し、反対側の壁面に温風吹出口２２を形成し、送風装置と温風吹出口の間には湾曲した蓄熱通路４０を架設し、蓄熱通路は、送風装置と温風吹出口の間に仕切る仕切板４１を設け、仕切板と本体開口の間に蓄熱空間４２を形成し、蓄熱空間に発熱装置５０を設置する。使用時には、発熱装置が熱エネルギーを発散し、並びに送風装置により外部の空気を蓄熱通路に送入させる。送入された空気は蓄熱通路の屈折により、空気が蓄熱空間に停滞する過程を増加させることで、熱エネルギーをより多く吸収した後、温風吹出口から使用対象に向けて送風する。【選択図】図３
0003138580.tif 000002
【実用新案登録請求の範囲】
【請求項１】
本体の内部に周囲を密閉した空間を設け、本体の壁面には貫通形成した開口を少なくとも一個設け、かつ反対側の壁面には貫通形成した温風吹出口を一個設け、
少なくとも送風装置を一個向け、該送風装置は本体の開口に対応して設置するとともに、該送風装置の送風部の送風の向きは本体内部の空間部に向いており、
蓄熱通路を開口の両端に設けた屈折した密閉通路であって本体内部に設置し、該蓄熱通路の一端は送風装置の送風部に連通させ、もう一端は本体の温風吹出口に連接させ、
前記蓄熱通路には本体開口と温風吹出口の間を仕切る仕切板を設け、さらに仕切板と本体開口の間には取り囲んだ蓄熱空間には少なくとも一個の発熱装置を設け、
該発熱装置は電気エネルギーを利用して熱エネルギーに転化させる装置であって前記蓄熱通路の蓄熱空間内に架設することを特徴とする電気ヒーター蓄熱構造。
【請求項２】
前記蓄熱通路は相互に間隔を置いて向かい合う屈折型パネルからなり、両端を本体両側の壁面に貼り密閉し、屈折型パネルは先末端を接合させた複数個の平板で形成することを特徴とする請求項１記載の電気ヒーター蓄熱構造。
【請求項３】
前記本体には外部を覆うケーシングを設け、該ケーシングは内部に本体より僅かに大きい空間部を有し、該ケーシングには本体開口側の壁面に応じて空気取入口を一個形成し、本体の温風吹出口側の壁面に対応して温風吹出口を一個貫通形成することを特徴とする請求項２記載の電気ヒーター蓄熱構造。
【考案の詳細な説明】
【技術分野】
【０００１】
本考案は蓄熱構造の一種で、特に電気ヒーター内の湾曲した蓄熱通路を利用することにより、良好な蓄熱効果を提供する電気ヒーター蓄熱構造に関する。
【背景技術】
【０００２】
科学技術の進歩と文明の発展に伴い、現代人は様々な発明と創作を利用し、生活のクオリティを高めることにますます理解を示すようになり、生活を更に快適で便利なものにしてきた。例えば、寒冷な天気では、人々の多くは室内で利用する装置として電気ヒーターを選択するようになり、過去に使用されていたストーブで暖める方式と取って代わった。そして事実、電気ヒーターが具えた効率と実用性も時代の変化とともに進化し続けている。
【０００３】
電気ヒーターは一般的な家庭用設備の一つであり、その形式は外に露出した発熱体を利用して直接発熱させる過去の比較的簡単なものから、さらに異なるモデルに変化を遂げた。幅広く利用されている電気ヒーターにおける従来技術の１例(図４：参照)には、本体(60)、本体(60)内部にある囲まれた空間部、本体(60)壁面に貫通形成した開口および開口に設置した送風装置(61)(例:ファン)、および送風装置(61)を設けた本体(60)壁面と向かい合う壁面に貫通形成した温風吹出口(62)、温風吹出口(62)と送風装置(61)の間に架設した直型送風道(63)、さらに送風道(63)内に架設した発熱に利用する発熱体(64)がある。電気ヒーターを使用する際、内部の発熱体(64)が電気エネルギーにより発熱し、並びに送風装置(61)が送出する風圧により、熱エネルギーを温風吹出口(62)まで伝達させ、さらに電気ヒーターの外に送出し、使用対象に向けて暖風を提供する。
【０００４】
現存技術における電気ヒーター内部の送風道(63)は直線式通路が圧倒的に多く、また発熱体(64)から発散される熱を直接風圧により送出する電気ヒーターで、熱エネルギーを凝集する蓄熱空間を備えていない。このため、より高温の暖気が必要とされる状況の下、発熱体(64)のパワーを向上さることだけに頼り、発熱体自体により高い熱エネルギーを発散させることで利用者の需要に合わせてきた。よって、従来技術における電気ヒーターの温度増加方式は電気エネルギーを過大に消耗する方式であったといえる。
【特許文献１】特開平０５−０２６５１３号公報
【考案の開示】
【考案が解決しようとする課題】
【０００５】
本考案は、上述した周知技術における欠点に鑑みてなされたもので、電気ヒーターにおいて、従来技術における電気ヒーターの温度増加方式の電気エネルギーを過大に消耗することを防ぎ、良好な蓄熱効果を有する電気ヒーター蓄熱構造を提供するものである。
【課題を解決するための手段】
【０００６】
上記の課題を解決するために、請求項１の考案は、電気ヒーター蓄熱構造において、本体の内部に周囲を密閉した空間を設け、本体の壁面には貫通形成した開口を少なくとも一個設け、かつ反対側の壁面には貫通形成した温風吹出口を一個設け、少なくとも送風装置を一個向け、該送風装置は本体の開口に対応して設置するとともに、該送風装置の送風部の送風の向きは本体内部の空間部に向いており、蓄熱通路を開口の両端に設けた屈折した密閉通路であって本体内部に設置し、該蓄熱通路の一端は送風装置の送風部に連通させ、もう一端は本体の温風吹出口に連接させ、前記蓄熱通路には本体開口と温風吹出口の間を仕切る仕切板を設け、さらに仕切板と本体開口の間には取り囲んだ蓄熱空間には少なくとも一個の発熱装置を設け、該発熱装置は電気エネルギーを利用して熱エネルギーに転化させる装置であって前記蓄熱通路の蓄熱空間内に架設することを特徴とする。
【０００７】
請求項２の考案は、請求項１記載の電気ヒーター蓄熱構造において、前記蓄熱通路は相互に間隔を置いて向かい合う屈折型パネルからなり、両端を本体両側の壁面に貼り密閉し、屈折型パネルは先末端を接合させた複数個の平板で形成することを特徴とする。
請求項３の考案は、請求項２記載の電気ヒーター蓄熱構造において、前記本体には外部を覆うケーシングを設け、該ケーシングは内部に本体より僅かに大きい空間部を有し、該ケーシングには本体開口側の壁面に応じて空気取入口を一個形成し、本体の温風吹出口側の壁面に対応して温風吹出口を一個貫通形成することを特徴とする。
【考案の効果】
【０００８】
本考案の電気ヒーター蓄熱構造によれば、使用に際して、本体の蓄熱空間内にある発熱装置を利用して熱エネルギーを発散し、さらに送風装置により外部の空気を抽出し蓄熱通路内に送入し、送入された空気は蓄熱通路の仕切板と接触し、よって、仕切板と蓄熱空間内に停滞する時間を長く維持でき、より多くの熱エネルギーが吸収でき、さらに、停滞時間が長くなることによって加温された増温空気は風圧により押し出され、温風吹出口から使用対象に向けて送出される。このように、蓄熱通路の屈折を利用し、本体の冷気が放熱装置を取り巻く過程を増加させることで、より効率のよい蓄熱効果が得られる。
したがって、より高温の暖気を提供する必要がある場合、本考案自体が蓄熱するため、蓄熱空間内を適切な温度まで上昇させ、かつ従来技術における電気ヒーターに比べ、発熱装置の電気エネルギーの消耗を抑えることができるという効果を奏する。
【考案を実施するための最良の形態】
【０００９】
本考案の好適な電気ヒーター蓄熱構造を、図面に沿って特徴内容と利点および得られる作用・効果をより明確に説明する：
[実施例]
図１乃至図３に示すように、本考案の実施例の電気ヒーター蓄熱構造は、ケーシング(10)、本体(20)、少なくとも一個の送風装置(30)(例:ファン)、蓄熱通路(40)および少なくとも一個の発熱装置(50)(例:発熱体)から構成される。
前述したケーシング(10)は、内部に空間部がある密閉されたシェル型装置で、ケーシングの壁面には貫通形成した空気取入口(11)があり、空気取入口(11)を備えた壁と反対側の壁面には貫通形成した温風吹出口(12)がある。
【００１０】
続いて、図１及び図２に示すように、前述した本体(20)内部には周囲を密閉した空間があり、ケーシング(10)より僅かに小さい本体(20)外形をケーシング(10)内に固定設置し、また本体(20)には空気取入口(11)側の壁面には貫通形成した開口(21)が少なくとも1個、かつ温風吹出口(12)側の壁面には貫通形成した温風吹出口(22)がある。
【００１１】
前述した送風装置(30)は、一端で空気を取り入れ、もう一端で空気を送風する装置で、ケーシング(10)の空気取入口(11)と本体(20)開口(21)の間に設置し、送風装置(30)の送風部は、本体(20)内部の空間部に向けて送風するように本体(20)の開口(21)に固定設置する。
【００１２】
前述した蓄熱通路(40)は、開口の両端に設けた屈折した密閉通路であって、本体(20)内部に設置し、図３に示すように、この通路は相互に間隔を置いて向かい合う屈折型パネルで、パネルの両端は本体両側の壁に貼り密閉し、また通路を形成する屈折型パネル二組は先末端を接合させた複数個の平板でもよい。蓄熱通路(40)の一端は送風装置(30)の送風部に連通させ、もう一端は本体(20)の温風吹出口(22)に連接させる。蓄熱通路(40)は本体(20)の開口(21)と温風吹出口(22)の間に立つ仕切板(41)を含み、且つ仕切板(41)と開口(21)の間に蓄熱空間(42)を囲んで形成し、また、蓄熱通路(40)の湾曲した通路の長さは、図３に示すようにジグザグジ通路であるから、本体(20)開口(21)から温風吹出口(22)までの距離よりも長い。
前述した発熱装置(50)は電気エネルギーを利用して熱エネルギーに転化させる装置で、蓄熱通路(40)の蓄熱空間(42)内に架設する。
【００１３】
以上の構成であるから、本実施例の電気ヒーター蓄熱構造を使用する際には、本体(20)内部の蓄熱空間(42)にある発熱装置(50)を利用し熱エネルギーを発散させ、さらに送風装置(30)により外部の空気を抽出し蓄熱通路(40)内に送入する。送入された空気は湾曲状の蓄熱通路(40)及び設置された仕切板(41)に接触し、仕切板(41)と蓄熱空間(42)内における停滞時間が長くなることで、熱エネルギーをより多く吸収できる。このように、通路が長く停滞時間も長くなっって、より加温された増温空気は風圧により送風され、本体(20)の温風吹出口(22)から使用対象(例えば、室内)に向けて送風される。
したがって、本考案の実施例の作用・効果は、蓄熱通路(40)により本体(20)の冷気が内部の発熱装置(50)の周囲を取り囲む過程を増加させるので、熱交換の効率が向上し、これにより熱の吸収を増加させ蓄熱効果が高められる。また、より高温の暖気を使用対象に提供する必要がある場合、本考案自体が蓄熱するため、蓄熱空間(42)内を適切な温度まで上昇させ、かつ従来技術における電気ヒーターに比べ、発熱装置(50)の電気エネルギーの消耗を大幅に抑えることができる。
なお、本考案の特徴を損なうものでなければ、上述した実施例に限定されないことは勿論である。
【図面の簡単な説明】
【００１４】
【図１】本考案の実施例の部品立体分解図である。
【図２】本考案の実施例の局部部品立体外観図である。
【図３】本考案の実施例の局部部品断面図である。
【図４】従来の電気ヒーターの局部部品断面図である。
【符号の説明】
【００１５】
10  ケーシング
11  空気流取入口
12  温風吹出口
20  本体
21  開口
22  温風吹出口
30  送風装置
40  蓄熱通路
41  仕切板（パネル）
42  蓄熱空間
50  発熱装置
60  本体
61  送風装置
62  温風吹出口
63  送風道
64  発熱体
【図１】
0003138580.tif 000003
【図２】
0003138580.tif 000004
【図３】
0003138580.tif 000005
【図４】
0003138580.tif 000006